【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
下り共有データチャネルと周波数分割多重される拡張下り制御チャネルを用いて無線基地局から送信される下り制御情報を復号するユーザ端末であって、
前記拡張下り制御チャネル用のサーチスペース候補数の設定に用いられる候補数設定情報を、前記無線基地局から受信する受信部と、
前記候補数設定情報に基づいて設定される前記拡張下り制御チャネル用のサーチスペース候補数に基づいて、前記下り制御情報を復号する復号部と、を有し、
前記拡張下り制御チャネルに対して、当該拡張下り制御チャネル用に配置される複数のＰＲＢ（Physical  Resource  Block）ペアを含んで構成される周波数リソースセットが設定され、前記拡張下り制御チャネル用のサーチスペース候補数は、前記周波数リソースセット用の個別サーチスペース候補数であることを特徴とするユーザ端末。
【請求項２】
前記周波数リソースセットは、２つの周波数リソースセットであることを特徴とする請求項１に記載のユーザ端末。
【請求項３】
前記２つの周波数リソースセットをそれぞれ構成するＰＲＢペアのうち、一方のＰＲＢペアに前記下り制御情報が分散してマッピングされ、他方のＰＲＢペアに前記下り制御情報が局所的にマッピングされることを特徴とする請求項２に記載のユーザ端末。
【請求項４】
前記２つの周波数リソースセットをそれぞれ構成するＰＲＢペアのうち、一方の周波数リソースセットの個別サーチスペース候補数が、他方の周波数リソースセットの個別サーチスペース候補数より多く設定されていることを特徴とする請求項２に記載のユーザ端末。
【請求項５】
前記受信部は、上位レイヤシグナリングを用いて、前記候補数設定情報を受信することを特徴とする請求項１に記載のユーザ端末。
【請求項６】
下り共有データチャネルと周波数分割多重される拡張下り制御チャネルを用いて無線基地局から送信される下り制御情報を、ユーザ端末が復号する復号方法であって、
前記拡張下り制御チャネル用のサーチスペース候補数の設定に用いられる候補数設定情報を、前記無線基地局から受信する工程と、
前記候補数設定情報に基づいて設定される前記拡張下り制御チャネル用のサーチスペース候補数に基づいて、前記下り制御情報を復号する工程と、を有し、
前記拡張下り制御チャネルに対して、当該拡張下り制御チャネル用に配置される複数のＰＲＢ（Physical  Resource  Block）ペアを含んで構成される周波数リソースセットが設定され、前記拡張下り制御チャネル用のサーチスペース候補数は、前記周波数リソースセット用の個別サーチスペース候補数であることを特徴とする復号方法。
【請求項７】
下り共有データチャネルと周波数分割多重される拡張下り制御チャネルを用いて、ユーザ端末に対する下り制御情報を送信する無線基地局であって、
前記拡張下り制御チャネル用のサーチスペース候補数の設定に用いられる候補数設定情報を生成する生成部と、
前記ユーザ端末に対して、前記生成部によって生成された前記候補数設定情報を通知する通知部と、を有し、
前記拡張下り制御チャネルに対して、当該拡張下り制御チャネル用に配置される複数のＰＲＢ（Physical  Resource  Block）ペアを含んで構成される周波数リソースセットが設定され、前記拡張下り制御チャネル用のサーチスペース候補数は、前記周波数リソースセット用の個別サーチスペース候補数であることを特徴とする無線基地局。
【請求項８】
下り共有データチャネルと周波数分割多重される拡張下り制御チャネルを用いて下り制御情報を送信する無線基地局と、前記無線基地局から前記下り制御情報を受信するユーザ端末とを有する無線通信システムであって、
前記無線基地局は、前記拡張下り制御チャネル用のサーチスペース候補数の設定に用いられる候補数設定情報を生成する生成部と、前記ユーザ端末に対して、前記生成部によって生成された前記候補数設定情報を通知する通知部と、を有し、
前記ユーザ端末は、前記拡張下り制御チャネル用のサーチスペース候補数の設定に用いられる候補数設定情報を、前記無線基地局から受信する受信部と、前記候補数設定情報に基づいて設定される前記拡張下り制御チャネル用のサーチスペース候補数に基づいて、前記下り制御情報を復号する復号部と、を有し、
前記拡張下り制御チャネルに対して、当該拡張下り制御チャネル用に配置される複数のＰＲＢ（Physical  Resource  Block）ペアを含んで構成される周波数リソースセットが設定され、前記拡張下り制御チャネル用のサーチスペース候補数は、前記周波数リソースセット用の個別サーチスペース候補数であることを特徴とする無線通信システム。
【手続補正２】
【補正対象書類名】明細書
【補正対象項目名】発明の名称
【補正方法】変更
【補正の内容】
【発明の名称】復号方法、無線基地局、ユーザ端末及び無線通信システム
【手続補正３】
【補正対象書類名】明細書
【補正対象項目名】０００９
【補正方法】変更
【補正の内容】
【０００９】
本発明の復号方法は、下り共有データチャネルと周波数分割多重される拡張下り制御チャネルを用いて無線基地局から送信される下り制御情報を、ユーザ端末が復号する復号方法であって、前記拡張下り制御チャネル用のサーチスペース候補数の設定に用いられる候補数設定情報を、前記無線基地局から受信する工程と、前記候補数設定情報に基づいて設定される前記拡張下り制御チャネル用のサーチスペース候補数に基づいて、前記下り制御情報を復号する工程と、を有し、前記拡張下り制御チャネルに対して、当該拡張下り制御チャネル用に配置される複数のＰＲＢ（Physical  Resource  Block）ペアを含んで構成される周波数リソースセットが設定され、前記拡張下り制御チャネル用のサーチスペース候補数は、前記周波数リソースセット用の個別サーチスペース候補数であることを要旨とする。
【手続補正４】
【補正対象書類名】明細書
【補正対象項目名】００１０
【補正方法】変更
【補正の内容】
【００１０】
本発明の無線基地局は、下り共有データチャネルと周波数分割多重される拡張下り制御チャネルを用いて、ユーザ端末に対する下り制御情報を送信する無線基地局であって、前記拡張下り制御チャネル用のサーチスペース候補数の設定に用いられる候補数設定情報を生成する生成部と、前記ユーザ端末に対して、前記生成部によって生成された前記候補数設定情報を通知する通知部と、を有し、前記拡張下り制御チャネルに対して、当該拡張下り制御チャネル用に配置される複数のＰＲＢ（Physical  Resource  Block）ペアを含んで構成される周波数リソースセットが設定され、前記拡張下り制御チャネル用のサーチスペース候補数は、前記周波数リソースセット用の個別サーチスペース候補数であることを要旨とする。
【手続補正５】
【補正対象書類名】明細書
【補正対象項目名】００１１
【補正方法】変更
【補正の内容】
【００１１】
本発明のユーザ端末は、下り共有データチャネルと周波数分割多重される拡張下り制御チャネルを用いて無線基地局から送信される下り制御情報を復号するユーザ端末であって、前記拡張下り制御チャネル用のサーチスペース候補数の設定に用いられる候補数設定情報を、前記無線基地局から受信する受信部と、前記候補数設定情報に基づいて設定される前記拡張下り制御チャネル用のサーチスペース候補数に基づいて、前記下り制御情報を復号する復号部と、を有し、前記拡張下り制御チャネルに対して、当該拡張下り制御チャネル用に配置される複数のＰＲＢ（Physical  Resource  Block）ペアを含んで構成される周波数リソースセットが設定され、前記拡張下り制御チャネル用のサーチスペース候補数は、前記周波数リソースセット用の個別サーチスペース候補数であることを要旨とする。
【手続補正６】
【補正対象書類名】明細書
【補正対象項目名】００１２
【補正方法】変更
【補正の内容】
【００１２】
本発明の無線通信システムは、下り共有データチャネルと周波数分割多重される拡張下り制御チャネルを用いて下り制御情報を送信する無線基地局と、前記無線基地局から前記下り制御情報を受信するユーザ端末とを有する無線通信システムであって、前記無線基地局は、前記拡張下り制御チャネル用のサーチスペース候補数の設定に用いられる候補数設定情報を生成する生成部と、前記ユーザ端末に対して、前記生成部によって生成された前記候補数設定情報を通知する通知部と、を有し、前記ユーザ端末は、前記拡張下り制御チャネル用のサーチスペース候補数の設定に用いられる候補数設定情報を、前記無線基地局から受信する受信部と、前記候補数設定情報に基づいて設定される前記拡張下り制御チャネル用のサーチスペース候補数に基づいて、前記下り制御情報を復号する復号部と、を有し、前記拡張下り制御チャネルに対して、当該拡張下り制御チャネル用に配置される複数のＰＲＢ（Physical  Resource  Block）ペアを含んで構成される周波数リソースセットが設定され、前記拡張下り制御チャネル用のサーチスペース候補数は、前記周波数リソースセット用の個別サーチスペース候補数であることを要旨とする。